(57)【特許請求の範囲】
【請求項１】
複数の図柄が配されたリール帯を外周部で支持する回転可能なリールドラムと、
前記リールドラムの内部において、前記リール帯の背後に配置されて発光する発光部と、を備える遊技機において、
前記リールドラムは、前記リール帯を保持する一対の円形フレームを有し、
前記発光部は、前記リール帯を照射するバックライト部と、前記リール帯の外縁近傍に光を照射するサイド発光部と、前記バックライト部及び前記サイド発光部とを収容するバックライトケースとを有し、
前記バックライトケースは、ケース本体及び仕切り部材を備え、
前記バックライトケースには、前記バックライト部と前記サイド発光部との間に設置されて光を遮蔽する前記仕切り部材に備えられた第１の仕切り板と、前記サイド発光部の外側に設置されて光を遮蔽する前記ケース本体に備えられた第２の仕切り板と、が形成され、
前記サイド発光部から発光された光は、前記第１の仕切り板および前記第２の仕切り板により形成された領域から前記円形フレームの側壁を透過し、前記円形フレームの端部の外部側に形成された外部端部に照射され、
前記外部端部と、前記リールドラムの中央部と、を分けるように段差が設けられ、
前記リール帯には、複数の図柄が配される図柄領域の外側に非図柄領域が形成され、
一対の前記円形フレームの端部には、互いの対向面に向けて突出したリール帯取付部が形成され、
リール帯取付部は、前記非図柄領域において前記リール帯を保持し、前記外部端部より、前記リールドラムの回転軸側に形成されていることを特徴とする遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機として、複数のリール間に固定手段を設け、この固定手段に報知発光手段を設けた遊技機が知られている。また、上記遊技機は、報知発光手段が、複数のＬＥＤランプで構成され、固定手段が、表示窓に対向する平面部を有する平板状部材で構成され、複数のＬＥＤランプが平面部に設けられている（例えば、特許文献１）。
このような遊技機によれば、遊技者が遊技中に主に視ているリールの間に報知発光手段を設けたので、遊技者の視点移動を少なくして、遊技者の疲労を軽減できる。また、報知発光手段をＬＥＤランプで構成することで、照明の明るい場所であっても、遊技者は報知を確認できるので、遊技機が設置された環境に左右されることなく、所定の報知を行うことができる。
【先行技術文献】
【特許文献】
【０００４】
【特許文献１】特開２００７−２５２６５５号公報
【発明の概要】
【発明が解決しようとする課題】
【０００５】
しかしながら、特許文献１の遊技機における報知発光手段は、必然的にリール自体をも発光することとなり、いわゆる「目押し」が遊技における入賞の成否をわける場合にあっては、報知発光手段からの発光が、かえってリールを見づらくさせてしまう場合もある。
【０００６】
そこで、本発明は、リール自体を見づらくすることなく、且つ遊技者が注視するリールにおいて高い装飾効果をもった演出を行うことができる遊技機を提供することを目的とする。
【課題を解決するための手段】
【０００７】
本発明は、以下のような遊技機を提供する。
【０００８】
（１）  複数の図柄が配されたリール帯（例えば、後述のリール帯３００Ｃ）を外周部で支持する回転可能なリールドラム（例えば、後述のリールドラム３１０）と、前記リールドラムの内部において、前記リール帯の背後に配置されて発光する発光部（例えば、後述の発光部３３０）と、を備える遊技機において、前記リールドラムは、前記リール帯を保持する一対の円形フレーム（例えば、後述の第１円形フレーム３１１及び第２円形フレーム３１２）を有し、前記発光部は、前記リール帯を照射するバックライト部（例えば、後述のバックライト部５００）と、前記リール帯の外縁近傍に光を照射するサイド発光部（例えば、後述の左サイド発光部５１０及び右サイド発光部５２０）と、前記バックライト部及び前記サイド発光部とを収容するバックライトケース（例えば、後述のバックライトケース３３２）とを有し、前記バックライトケースは、ケース本体及び仕切り部材を備え、前記バックライトケースには、前記バックライト部と前記サイド発光部との間に設置されて光を遮蔽する前記仕切り部材に備えられた第１の仕切り板と、前記サイド発光部の外側に設置されて光を遮蔽する前記ケース本体に備えられた第２の仕切り板と、が形成され、前記サイド発光部から発光された光は、前記第１の仕切り板および前記第２の仕切り板により形成された領域から前記円形フレームの側壁（例えば、後述の側壁３１５，３１６）を透過し、前記円形フレームの端部の外部側に形成された外部端部（例えば、後述の外部端部３１２ａ）に照射され、前記外部端部と、前記リールドラムの中央部と、を分けるように段差が設けられ、前記リール帯には、複数の図柄が配される図柄領域（例えば、後述の図柄領域３０１Ｃ）の外側に非図柄領域（例えば、後述の非図柄領域３０２Ｃ）が形成され、前記一対の円形フレームの端部には、互いの対向面に向けて突出したリール帯取付部（例えば、後述のリール帯取付部３１３，３１４）が形成され、前記リール帯取付部は、前記非図柄領域において前記リール帯を保持し、前記外部端部より、前記リールドラムの回転軸側（図６中の矢印Ｃ側）に形成されていることを特徴とする遊技機（例えば、後述のパチスロ１）。
【０００９】
この遊技機によれば、リールドラムの内部において、リール帯の背後に配置されて発光する発光部を備えた。リールドラムは、リール帯を保持する一対の円形フレームを有し、発光部は、リール帯を照射するバックライト部と、リール帯の外縁近傍に光を照射するサイド発光部と、バックライト部及びサイド発光部とを収容するバックライトケースとを有し、このバックライトケースに、バックライト部とサイド発光部とを遮蔽する仕切り板を形成した。そして、サイド発光部は、仕切り板により円形フレームの側壁を透過させて、円形フレームの端部の外部側に形成された外部端部に、光を照射する。
【００１０】
これにより、リール帯を背後から照射するバックライト部と、サイド発光部とを仕切り板で遮蔽し、サイド発光部が発光した光を円形フレームの側壁を透過させ円形フレームの外部端部に照射したので、サイド発光部が発光した光は、リール帯自体を照射することなく、リール帯の外縁近傍を照射できる。
よって、リール自体を見づらくすることなく、且つ遊技者が注視するリールにおいて高い装飾効果をもった演出を行うことができる遊技機を提供できる。
【００１１】
この遊技機によれば、外部端部と、リールドラムの中央部と、を分ける段差を設けた。
これにより、外部端部を照射した光が、リールドラムの中央部に回り込むのを防止でき
る。
よって、リール自体にサイド発光部の光が回り込まないので、リール自体を見づらくすることなく、且つ遊技者が注視するリールにおいて高い装飾効果をもった演出を行うことができる遊技機を提供できる。
【００１２】
この遊技機によれば、一対の円形フレームの端部に、互いの対向面に向けて突出したリール帯取付部を形成し、このリール帯取付部は、リール帯を複数の図柄が配された図柄領域の外側に形成した非図柄領域で保持する。
これにより、リール帯の図柄領域が円形フレームのリール帯取付部に遮られることなく、バックライト部により照射できる。また、リール帯取付部は、サイド発光部により光が照射される外部端部より、リールドラムの回転軸側に形成した。
これにより、リール帯にサイド発光部の光が回り込まないので、リール自体を見づらくすることなく、且つ遊技者が注視するリールにおいて高い装飾効果をもった演出を行うことができる遊技機を提供できる。
【発明の効果】
【００１３】
本発明によれば、リール自体を見づらくすることなく、且つ遊技者が注視するリールにおいて高い装飾効果をもった演出を行うことができる遊技機を提供することができる。
【図面の簡単な説明】
【００１４】
【図１】本実施の形態におけるパチスロの機能フローを示す図である。
【図２】本実施の形態におけるパチスロの斜視図である。
【図３】本実施の形態におけるパチスロの保護パネルを外した状態の正面図である。
【図４】本実施の形態におけるパチスロのキャビネット内部の正面図である。
【図５】本実施の形態におけるリールの分解詳細図である。
【図６】図５中の円形の破線Ｂで囲んだ部分の拡大断面図である。
【図７】本実施の形態におけるリール帯が第１円形フレーム及び第２円形フレームに取り付けられた状態を説明する図である。
【図８】本実施の形態における発光部の説明図である。
【図９】本実施の形態におけるパチスロの主制御回路の構成を示す図である。
【図１０】本実施の形態におけるパチスロの副制御回路の構成を示す図である。
【図１１】図４におけるＡＡ’間のリールの部分断面図である。
【図１２】左サイド発光部及び右サイド発光部による演出を説明する図である。
【発明を実施するための形態】
【００１５】
以下、本発明の実施形態について図を参照しながら説明する。
【００１６】
［パチスロの機能フロー］
本発明の遊技機に係る実施の形態について、以下図面を参照しながら説明する。はじめに、図１を参照して、本実施の形態における遊技機（以下、パチスロ）１の機能フローについて説明する。
【００１７】
＜パチスロのメイン制御＞
遊技者によりメダルが投入され、スタートレバー６が操作されると、予め定められた数値の範囲（例えば、０〜６５５３５）の乱数から１つの値（以下、乱数値）が抽出される。
【００１８】
内部当籤役決定手段（後述のメインＣＰＵ３１）は、抽出された乱数値に基づいて抽籤を行い、内部当籤役を決定する。内部当籤役の決定により、後述の入賞ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１９】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタンが押されたタイミングとに基づいて、該当するリールの回転を停止する制御を行う。
【００２０】
ここで、パチスロ１では、基本的に、ストップボタンが押されたときから規定時間（１９０ｍｓｅｃ）内に、該当するリールの回転を停止する制御が行われる。本実施の形態では、上記規定時間内でのリール３Ｌ，３Ｃ，３Ｒの回転に伴って移動する図柄の数を「滑り駒数」と呼び、その最大数を図柄４個分に定める。
【００２１】
リール停止制御手段は、入賞に係る図柄の組合せの表示を許可する内部当籤役が決定されているときでは、上記規定時間を利用して、その図柄の組合せが入賞ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞ラインに沿って表示されることがないようにリール３Ｌ，３Ｃ，３Ｒの回転を停止する。
【００２２】
こうして、複数のリール３Ｌ，３Ｃ，３Ｒの回転が全て停止されると、入賞判定手段（後述のメインＣＰＵ３１）は、入賞ラインに沿って表示された図柄の組合せが、入賞に係るものであるか否かの判定を行う。入賞に係るものであるとの判定が行われると、メダルの払い出し、再遊技及びボーナスの作動の特典が遊技者に与えられる。以上のような一連の流れがパチスロ１における１回の遊技として行われる。
【００２３】
なお、本実施の形態では、全てのリールが回転しているときに最初に行われるリールの停止操作（ストップボタンの操作）を第１停止操作、第１停止操作の次に行われる停止操作を第２停止操作、第２停止操作の次に行われる停止操作を第３停止操作という。
【００２４】
演出内容役決定手段（後述のサブＣＰＵ８１）は、抽出された演出用乱数値及び内部当籤役決定手段に決定された内部当籤役に基づいて、演出内容を決定し、演出実行手段としてのドット表示器１００、リール上部表示器１０１、リール照明器１０２、リール演出表示器１０３、サイド演出表示器１０４、リール下部表示器１０５、発光部３３０及びスピーカ９Ｌ，９Ｒを制御し、種々の演出を行う。
【００２５】
［パチスロの構造］
１の機能フローについての説明は以上である。次に、図２〜図８を参照して、本実施の形態におけるパチスロ１の構造について説明する。
【００２６】
図２は、本実施の形態におけるパチスロ１の斜視図である。図３は、本実施の形態におけるパチスロ１の保護パネルを外した状態の正面図である。図４は、本実施の形態におけるパチスロ１のキャビネット内部の正面図である。
【００２７】
パチスロ１は、いわゆる「パチスロ機」である。このパチスロ１は、コイン、メダル、遊技球又はトークン等の他、遊技者に付与された、もしくは付与される遊技価値の情報を記憶したカード等の遊技媒体を用いて遊技する遊技機であるが、以下ではメダルを用いるものとして説明する。
【００２８】
パチスロ１の全体を形成している筐体４は、箱状のキャビネット６０と、このキャビネット６０を開閉する前面ドア２と、を備える。この前面ドア２正面最上部には、リール上部表示器１０１が設けられている。また、前面ドア２正面の略中央には、透明の保護パネル５が設けられ、この保護パネルの左右には、リール演出表示器１０３及びサイド演出表示器１０４が設けられている。
【００２９】
また、保護パネル５の内部には、図３に示すように、略中央上部に複数の発光ダイオード（ＬＥＤ）が横長矩形形状に配列されたドット表示器１００が設けられ、このドット表示器１００の下方には、リール照明器１０２が設けられている。
【００３０】
本実施形態では、ドット表示器１００、リール上部表示器１０１、リール照明器１０２、リール演出表示器１０３及びサイド演出表示器１０４に発光ダイオード（ＬＥＤ）を用いて発光させているが、有機エレクトロルミネッセンス（有機ＥＬ）等、少なくとも緑色、黄色、青色、赤色に発光可能であれば既存の発光素子を用いることができる。
【００３１】
このリール照明器１０２の下方には、縦長矩形の表示窓４Ｌ，４Ｃ，４Ｒが設けられている。表示窓４Ｌ，４Ｃ，４Ｒには、右上り斜めの表示ライン８ａ、上段の表示ライン８ｂ、中段の表示ライン８ｃ、下段の表示ライン８ｄ及び右下がり斜めの表示ライン８ｅが表示されている。これらの表示ライン８ａ〜８ｅは、後述のベットボタン１１を操作すること（以下「ＢＥＴ操作」という）、或いはメダル投入口２２にメダルを投入することにより有効化される。
【００３２】
図４に示すように、キャビネット６０内部には、略中央にキャビネット６０を補強するミドルボード６５が設けられ、このミドルボード６５の上面に、複数のリール３Ｌ，３Ｃ，３Ｒが横一列に整列されリールカバー３５０に収容されて固着されている。
また、リール３Ｌとリール３Ｃとの間及びリール３Ｃとリール３Ｒとの間には、互いに光が透過することを防止する遮蔽板３５５が設けられている。
【００３３】
各リール３Ｌ，３Ｃ，３Ｒは、それぞれの外周面に、遊技に必要な複数種類の図柄によって構成される識別情報としての複数の図柄が配されたリール帯３００Ｌ，３００Ｃ，３００Ｒを有する。各リール帯３００Ｌ，３００Ｃ，３００Ｒの図柄は表示窓４Ｌ，４Ｃ，４Ｒ（図３参照）を通して、パチスロ１の外部から視認できるようになっている。また、各リール３Ｌ，３Ｃ，３Ｒは、定速回転（例えば８０回転／分）で回転し、図柄列を変動表示する。
【００３４】
＜リールの詳細な構成＞
次に、図５を参照して、リール３Ｌ，３Ｃ，３Ｒの一例として、リール３Ｃの詳細な構成について説明する。リール３Ｌ，３Ｒは、リール帯３００Ｃとリール帯３００Ｌ，３００Ｒに配された複数の図柄の配置が異なる以外は同様の構成であるので、説明を省略する。
図５は、リール３Ｃの分解詳細図である。
リール３Ｃは、リール帯３００Ｃと、リール帯３００Ｃを外周部で支持する回転可能なリールドラム３１０と、リールドラム３１０の内部に配置されリールドラム３１０を回転駆動するモータユニット３２０と、リールドラム３１０の内部においてリール帯３００Ｃの背後に配置されて発光する発光部３３０と、これらを保持しミドルボード６５（図４参照）の上面に固着するリールベース３４０と、を備える。
【００３５】
（リールドラム）
リールドラム３１０は、リールベース３４０に回転可能に軸支され、外周が円形に形成された一対の第１円形フレーム３１１及び第２円形フレーム３１２を備える。
第１円形フレーム３１１は、略円板形状に形成された側壁３１５を備え、モータユニット３２０により回転駆動される。側壁３１５には、発光部３３０に沿って光を透過する開口部３１５ａが形成されている。
第２円形フレーム３１２は、直径方向の断面形状が略八字形状に形成された側壁３１６を備え、その中心部分において、第１円形フレーム３１１の中心部分に接合される。側壁３１６は、光を透過する透光部材により形成されている。
【００３６】
第１円形フレーム３１１及び第２円形フレーム３１２の端部には、互いの対向面に向けて突出したリール帯取付部３１３，３１４が形成されている。
図６は、図５中の円形の破線Ｂで囲んだ部分の拡大断面図である。
第２円形フレーム３１２の外部側の端部（図６中の矢印Ｏ側）である外部端部３１２ａは、角が面取りされている。
リール帯取付部３１４は、外部端部３１２ａの反対側である中央部側に形成され、外部端部３１２ａと分けるように段差が設けられている。具体的には、リール帯取付部３１４は、外部端部３１２ａより、第２円形フレーム３１２の回転軸側（図６中の矢印Ｃ側）に形成されている。
【００３７】
図７は、リール帯３００Ｃが第１円形フレーム３１１及び第２円形フレーム３１２に取り付けられた状態を説明する図である。
リール帯３００Ｃには、幅方向の中心部分に複数の図柄が配される図柄領域３０１Ｃが形成され、この図柄領域３０１Ｃ両外側に非図柄領域３０２Ｃが形成されている。
第１円形フレーム３１１のリール帯取付部３１３及び第２円形フレーム３１２のリール帯取付部３１４は、それぞれ両外側の非図柄領域３０２Ｃにおいてリール帯３００Ｃを保持する。
【００３８】
図５に戻って、モータユニット３２０は、リールドラム３１０を回転駆動するステッピングモータ４９Ｃ（図９参照）と、このステッピングモータ４９Ｃの駆動を制御するモータ駆動回路３９（図９参照）と、リールドラム３１０が一回転したことを示すリールインデックスを検出するリール位置検出回路５０（図９参照）と、を備える。
【００３９】
（発光部）
図８は、発光部３３０の説明図である。
発光部３３０は、リール帯３００Ｃを背後から照射するバックライト部５００と、リール帯３００Ｃの左外縁近傍に光を照射する左サイド発光部５１０と、リール帯３００Ｃの右外縁近傍に光を照射する右サイド発光部５２０と、に区分されるＬＥＤ基板３３１と、ＬＥＤ基板３３１を収容するバックライトケース３３２と、を備える。
【００４０】
バックライト部５００は、表示窓４Ｃ（図３参照）に表示された表示ライン８ｂの背後に位置するバックライト部上段領域５０１と、表示窓４Ｃ（図３参照）に表示された表示ライン８ｃの背後に位置するバックライト部中段領域５０２と、表示窓４Ｃ（図３参照）に表示された表示ライン８ｄの背後に位置するバックライト部下段領域５０３と、に区分されている。
【００４１】
左サイド発光部５１０は、バックライト部上段領域５０１の左側（図８中の矢印Ｌ側）に位置する左サイド発光部上段領域５１１と、バックライト部中段領域５０２の左側（図８中の矢印Ｌ側）に位置する左サイド発光部中段領域５１２と、バックライト部下段領域５０３の左側（図８中の矢印Ｌ側）に位置する左サイド発光部下段領域５１３と、に区分されている。
【００４２】
右サイド発光部５２０は、バックライト部上段領域５０１の右側（図８中の矢印Ｒ側）に位置する右サイド発光部上段領域５２１と、バックライト部中段領域５０２の右側（図８中の矢印Ｒ側）に位置する右サイド発光部中段領域５２２と、バックライト部下段領域５０３の右側（図８中の矢印Ｒ側）に位置する右サイド発光部下段領域５２３と、に区分されている。
【００４３】
ＬＥＤ基板３３１は、バックライト部上段領域５０１に設けられたバックライト部上段ＬＥＤ５０１ａ，５０１ｂ，５０１ｃと、バックライト部中段領域５０２に設けられたバックライト部中段ＬＥＤ５０２ａ，５０２ｂ，５０２ｃと、バックライト部下段領域５０３に設けられたバックライト部下段ＬＥＤ５０３ａ，５０３ｂ，５０３ｃと、左サイド発光部上段領域５１１に設けられた左サイド発光部上段ＬＥＤ５１１ａと、左サイド発光部中段領域５１２に設けられた左サイド発光部中段ＬＥＤ５１２ａと、左サイド発光部下段領域５１３に設けられた左サイド発光部下段ＬＥＤ５１３ａと、右サイド発光部上段領域５２１に設けられた右サイド発光部上段ＬＥＤ５２１ａと、右サイド発光部中段領域５２２に設けられた右サイド発光部中段ＬＥＤ５２２ａと、右サイド発光部下段領域５２３に設けられた右サイド発光部下段ＬＥＤ５２３ａと、を備える。
【００４４】
ＬＥＤ基板３３１に設けられたこれらのＬＥＤは、副制御回路７２（図９参照）により個別に点灯、消灯又は点滅等の点灯態様が個別に制御される。ＬＥＤ基板３３１に設けられたこれらのＬＥＤは、少なくとも緑色、黄色、青色、赤色に発光可能であれば、有機エレクトロルミネッセンス（有機ＥＬ）等の既存の発光素子を用いることができる。
【００４５】
バックライトケース３３２は、ＬＥＤ基板３３１の周囲を囲うケース本体３３３と、ＬＥＤ基板３３１に設けられた上記ＬＥＤを仕切り、上記複数の領域を形成する仕切り部材３３４と、を備える。
【００４６】
ケース本体３３３は、ＬＥＤ基板３３１の表面からリール帯３００Ｃ方向に向かって斜めに立設するケース本体仕切り板３３３ａ，３３３ｂ，３３３ｃ，３３３ｄ，３３３ｅ，３３３ｆを有する。ケース本体仕切り板３３３ａは、左サイド発光部上段ＬＥＤ５１１ａと発光部３３０の外部とを仕切る。ケース本体仕切り板３３３ｂは、左サイド発光部中段ＬＥＤ５１２ａと発光部３３０の外部とを仕切る。ケース本体仕切り板３３３ｃは、左サイド発光部下段ＬＥＤ５１３ａと発光部３３０の外部とを仕切る。ケース本体仕切り板３３３ｄは、右サイド発光部上段ＬＥＤ５２１ａと発光部３３０の外部とを仕切る。ケース本体仕切り板３３３ｅは、右サイド発光部中段ＬＥＤ５２２ａと発光部３３０の外部とを仕切る。ケース本体仕切り板３３３ｆは、右サイド発光部下段ＬＥＤ５２３ａと発光部３３０の外部とを仕切る。
【００４７】
仕切り部材３３４は、ＬＥＤ基板３３１の表面からリール帯３００Ｃ方向に向かって斜めに立設する。また、仕切り部材３３４は、バックライト部上段ＬＥＤ５０１ａ，５０１ｂ，５０１ｃと、左サイド発光部上段ＬＥＤ５１１ａと、を仕切る仕切り板３３４ａと、バックライト部中段ＬＥＤ５０２ａ，５０２ｂ，５０２ｃと、左サイド発光部中段ＬＥＤ５１２ａと、を仕切る仕切り板３３４ｂと、バックライト部下段ＬＥＤ５０３ａ，５０３ｂ，５０３ｃと、左サイド発光部下段ＬＥＤ５１３ａと、を仕切る仕切り板３３４ｃと、バックライト部上段ＬＥＤ５０１ａ，５０１ｂ，５０１ｃと、右サイド発光部上段ＬＥＤ５２１ａと、を仕切る仕切り板３３４ｄと、バックライト部中段ＬＥＤ５０２ａ，５０２ｂ，５０２ｃと、右サイド発光部中段ＬＥＤ５２２ａと、を仕切る仕切り板３３４ｅと、バックライト部下段ＬＥＤ５０３ａ，５０３ｂ，５０３ｃと、右サイド発光部下段ＬＥＤ５２３ａと、を仕切る仕切り板３３４ｆと、を備える。
【００４８】
また、仕切り部材３３４は、バックライト部上段ＬＥＤ５０１ａ，５０１ｂ，５０１ｃと、バックライト部中段ＬＥＤ５０２ａ，５０２ｂ，５０２ｃと、を仕切る仕切り板３３４ｇと、バックライト部中段ＬＥＤ５０２ａ，５０２ｂ，５０２ｃと、バックライト部下段ＬＥＤ５０３ａ，５０３ｂ，５０３ｃと、を仕切る仕切り板３３４ｈと、を備える。
また、仕切り部材３３４は、天井面を形成する仕切り板３３４ｉと、底面を形成する仕切り板３３４ｊと、を備える。
【００４９】
このように、バックライト部上段領域５０１は、バックライト部上段ＬＥＤ５０１ａ，５０１ｂ，５０１ｃが配置され、仕切り板３３４ａ，３３４ｇ，３３４ｄ，３３４ｉにより仕切られて形成されている。
バックライト部中段領域５０２は、バックライト部中段ＬＥＤ５０２ａ，５０２ｂ，５０２ｃが配置され、仕切り板３３４ｂ，３３４ｈ，３３４ｅ，３３４ｇにより仕切られて形成されている。
バックライト部下段領域５０３は、バックライト部下段ＬＥＤ５０３ａ，５０３ｂ，５０３ｃが配置され、仕切り板３３４ｃ，３３４ｊ，３３４ｆ，３３４ｈにより仕切られて形成されている。
【００５０】
バックライト部上段領域５０１、バックライト部中段領域５０２及びバックライト部下段領域５０３は、ＬＥＤ基板３３１の表面からリール帯３００Ｃに向かって形成され、その幅はＬＥＤ基板３３１の表面ではリール帯３００Ｃの幅より狭く、リール帯３００Ｃの幅と略同じ幅までに徐々に拡がって形成されている。これにより、リール帯の幅より狭い範囲にＬＥＤを配置していても、ＬＥＤの発光による光をリール帯の幅に拡散できる。
【００５１】
左サイド発光部上段領域５１１は、左サイド発光部上段ＬＥＤ５１１ａが配置され、仕
切り板３３４ａとケース本体仕切り板３３３ａにより仕切られて形成されている。
左サイド発光部中段領域５１２は、左サイド発光部中段ＬＥＤ５１２ａが配置され、仕
切り板３３４ｂとケース本体仕切り板３３３ｂにより仕切られて形成されている。
左サイド発光部下段領域５１３は、左サイド発光部下段ＬＥＤ５１３ａが配置され、仕
切り板３３４ｃとケース本体仕切り板３３３ｃにより仕切られて形成されている。
右サイド発光部上段領域５２１は、右サイド発光部上段ＬＥＤ５２１ａが配置され、仕
切り板３３４ｄとケース本体仕切り板３３３ｄにより仕切られて形成されている。
右サイド発光部中段領域５２２は、右サイド発光部中段ＬＥＤ５２２ａが配置され、仕
切り板３３４ｅとケース本体仕切り板３３３ｅにより仕切られて形成されている。
右サイド発光部下段領域５２３は、右サイド発光部下段ＬＥＤ５２３ａが配置され、仕
切り板３３４ｆとケース本体仕切り板３３３ｆにより仕切られて形成されている。
【００５２】
仕切り板３３４ａ〜３３４ｆのそれぞれ左サイド発光部上段ＬＥＤ５１１ａ、左サイド発光部中段ＬＥＤ５１２ａ、左サイド発光部下段ＬＥＤ５１３ａ、右サイド発光部上段ＬＥＤ５２１ａ、右サイド発光部中段ＬＥＤ５２２ａ及び右サイド発光部下段ＬＥＤ５２３ａ方向の面には、光反射部材が設けられている。このように、光反射部材を設けることで、第１円形フレーム３１１及び第２円形フレーム３１２の外部側の端部に、これらのＬＥＤの光を効率的に導くことができる。
【００５３】
仕切り板３３４ａ〜３３４ｆのＬＥＤ基板３３１の表面から高さは、それぞれケース本体仕切り板３３３ａ〜３３３ｆの高さより高く形成されている。
これにより、左サイド発光部上段領域５１１、左サイド発光部中段領域５１２、左サイド発光部下段領域５１３、右サイド発光部上段領域５２１、右サイド発光部中段領域５２２及び右サイド発光部下段領域５２３は、ＬＥＤ基板３３１の表面からリール帯３００Ｃの外縁近傍に向かって形成され、リール帯３００Ｃの外縁近傍が開放されている。
【００５４】
図３に戻って、表示窓４Ｌ，４Ｃ，４Ｒの下方には、パチスロ１における遊技に関する情報を表示するリール下部表示器１０５が設けられている。このリール下部表示器１０５の下方には、略水平面の台座部１０が形成されている。この台座部１０の水平面内のうち、右側にはメダル投入口２２が設けられ、略中央には主にメダル枚数に関する情報を表示する情報表示器１３が設けられ、左側にはベットボタン１１が設けられる。ベットボタン１１の内部には、メダルの投入が可能な時に点灯するベットボタンＬＥＤ１１１（図９参照）が設けられている。
【００５５】
このベットボタン１１を押下操作することで、単位遊技（一のゲーム）の用に供される枚数のメダルが投入され、前述のとおり、所定の表示ライン８ａ〜８ｅが有効化される。ベットボタン１１の操作及びメダル投入口２２にメダルを投入する操作（遊技を行うためにメダルを投入する操作）を、以下「ＢＥＴ操作」という。
【００５６】
情報表示器１３には、今回の遊技に投入されたメダルの枚数（以下、投入枚数）に対応して点灯するＬＥＤ（図示無し）が設けられている。また、情報表示器１３には、特典として遊技者に対して払い出すメダルの枚数（以下、払出枚数）、パチスロ１内部に預けられているメダルの枚数（以下、クレジット枚数）等の情報を遊技者に対してデジタル表示するデジタル表示器（図示無し）が設けられている。
さらに、情報表示器１３は、デジタル表示器（図示無し）において、パチスロ１の動作に関するエラーを示すエラーコード、設定値等をデジタル表示する。また、情報表示器１３には、再遊技の図柄が表示された時に点灯するＬＥＤ（図示無し）や、リール３Ｌ，３Ｃ，３Ｒが作動可能な時や、メダル投入受付可能な時に点灯するＬＥＤ（図示無し）が設けられている。
【００５７】
台座部１０の前面部の左寄りには、遊技者がゲームで獲得したメダルのクレジット／払出しを押しボタン操作で切り換える精算ボタン１２が設けられている。この精算ボタン１２の切り換えにより、正面下部のメダル払出口１５からメダルが払出され、払出されたメダルはメダル受け部１６に溜められる。精算ボタン１２の右側には、遊技者の傾動操作により上記リールを回転させ、表示窓４Ｌ，４Ｃ，４Ｒ内での図柄の変動表示を開始するための開始操作手段としてのスタートレバー６が所定の角度範囲で傾動自在に取り付けられている。
【００５８】
台座部１０の前面部の略中央には、遊技者の押下操作により３個のリール３Ｌ，３Ｃ，３Ｒの回転をそれぞれ停止させるための停止操作手段としてのストップボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００５９】
前面ドア２下部の正面には、左右に効果音や音声等の音による演出を行うスピーカ９Ｌ，９Ｒが設けられ、このスピーカ９Ｌ，９Ｒの間にメダルが払出されるメダル払出口１５が設けられている。前面ドア２最下部には、払出されたメダルを貯留するメダル受け部１６が設けられている。また、前面ドア２下部の正面のうち、ストップボタン７Ｌ，７Ｃ，７Ｒとメダル受け部１６とに上下を挟まれた面には、機種のモチーフに対応したデザインがあしらわれた腰部パネル２５が取り付けられている。この腰部パネル２５は、背後に設けられた要部パネル照明器（図示無し）に照射される。
【００６０】
図４に示すように、キャビネット６０の内部上部には、リール３Ｌ，３Ｃ，３Ｒの他に、パチスロ１の制御を行う主制御回路７１が主基板ケースに収容されて設けられている。また、ミドルボード６５の下方左側には、電源メインスイッチと交流電圧を直流電圧に変換する電源基板を有する電源ユニット２０が設けられている。また、ミドルボード６５の下方略中央には、入賞払い出し枚数が所定枚数を超えた時や精算時にメダルを払い出すメダル払出装置４０が設けられている。また、ミドルボード６５の下方右側には、メダル払出装置４０から溢れ出たメダルを収容するメダル補助収納庫４５が設けられている。
【００６１】
［パチスロが備える回路の構成］
パチスロ１の構造についての説明は以上である。次に、図９及び図８を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。
【００６２】
＜主制御回路＞
図９は、本実施の形態におけるパチスロ１の主制御回路７１の構成を示す。
【００６３】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００６４】
メインＲＯＭ３２には、メインＣＰＵ３１により実行される制御プログラム、内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００６５】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００６６】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００６７】
メダルセンサ４２Ｓは、メダル投入口２２に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００６８】
（周辺装置及び回路）
マイクロコンピュータ３０により動作が制御される周辺装置としては、ステッピングモータ４９Ｌ，４９Ｃ，４９Ｒ及びホッパー４０がある。また、マイクロコンピュータ３０の出力ポートには、各周辺装置の動作を制御するための回路が接続されている。
【００６９】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００７０】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力される毎に、リール３Ｌ，３Ｃ，３Ｒは一定の角度で回転する。
【００７１】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００７２】
また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００７３】
（表示器等）
さらに、マイクロコンピュータ３０には、ストップボタン７Ｌ，７Ｃ，７Ｒのそれぞれ内部に設けられ、これらの受付け状態を表示するストップボタン内部ＬＥＤ１０７Ｌ，１０７Ｃ，１０７Ｒと、メダル枚数に関する情報を表示する情報表示器１３と、が接続されている。
【００７４】
＜副制御回路＞
図１０は、本実施の形態におけるパチスロ１の副制御回路７２の構成を示す。
【００７５】
副制御回路７２は、主制御回路７１と電気的に接続されており、主制御回路７１から送信されるコマンドに基づいて演出内容の決定や実行等の処理を行う。副制御回路７２は、基本的に、ＣＰＵ（以下、サブＣＰＵ）８１、ＲＯＭ（以下、サブＲＯＭ）８２、ＲＡＭ（以下、サブＲＡＭ）８３、ＤＳＰ（デジタルシグナルプロセッサ）８４、オーディオＲＡＭ８５、Ａ／Ｄ変換器８６及びアンプ８７を含んで構成されている。
【００７６】
サブＣＰＵ８１は、主制御回路７１から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００７７】
プログラム記憶領域には、サブＣＰＵ８１が実行する制御プログラムが記憶されている。例えば、制御プログラムには、主制御回路７１との通信を制御し通信内容に基づいて演出内容（演出データ）の決定及び登録を行うための主基板通信タスクや、ドット表示器１００、リール上部表示器１０１、リール照明器１０２、リール演出表示器１０３、サイド演出表示器１０４、リール下部表示器１０５、ベットボタンＬＥＤ１１１及び発光部３３０による光の出力を制御するランプ制御タスク、スピーカ９Ｌ，９Ｒによる音の出力を制御するサウンド制御タスク等が含まれる。
【００７８】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００７９】
また、副制御回路７２には、その動作が制御される周辺装置として、ドット表示器１００、リール上部表示器１０１、リール照明器１０２、リール演出表示器１０３、サイド演出表示器１０４、リール下部表示器１０５、ベットボタンＬＥＤ１１１と、発光部３３０及びスピーカ９Ｌ，９Ｒが接続されている。
【００８０】
サブＣＰＵ８１、ＤＳＰ８４、オーディオＲＡＭ８５、Ａ／Ｄ変換器８６及びアンプ８７は、演出内容により指定されたサウンドデータに従ってＢＧＭ等の音をスピーカ９Ｌ，９Ｒにより出力する。また、サブＣＰＵ８１は、演出内容により指定されたランプデータに従ってドット表示器１００、リール上部表示器１０１、リール照明器１０２、リール演出表示器１０３、サイド演出表示器１０４、リール下部表示器１０５及び発光部３３０の点灯及び消灯を行う。
【００８１】
例えば、サブＣＰＵ８１は、演出内容により指定されたＬＥＤデータに従って、発光部３３０に設けられたバックライト部上段ＬＥＤ５０１ａ，５０１ｂ，５０１ｃ、バックライト部中段ＬＥＤ５０２ａ，５０２ｂ，５０２ｃ、バックライト部下段ＬＥＤ５０３ａ，５０３ｂ，５０３ｃ、左サイド発光部上段ＬＥＤ５１１ａ、左サイド発光部中段ＬＥＤ５１２ａ、左サイド発光部下段ＬＥＤ５１３ａ、右サイド発光部上段ＬＥＤ５２１ａ、右サイド発光部中段ＬＥＤ５２２ａ、右サイド発光部下段ＬＥＤ５２３ａやドット表示器１００等の点灯、点滅及び消灯の制御を行う。
【００８２】
［リールの発光態様］
次に、リール３Ｃの発光態様について説明する。
図１１は、図４におけるＡＡ’間のリール３Ｃの部分断面図である。
図１１に示すように、サブＣＰＵ８１（図１０参照）の制御により、発光部３３０の左サイド発光部中段ＬＥＤ５１２ａが点灯し、バックライト部中段ＬＥＤ５０２ａ，５０２ｂが消灯している。この時、左サイド発光部中段ＬＥＤ５１２ａにより発光された光（図１１中の点線ハッチング部分）は、仕切り板３３４ｂとケース本体仕切り板３３３ｂにより仕切られて形成された左サイド発光部中段領域５１２で反射され、第２円形フレーム３１２の側壁３１６を透過して、外部端部３１２ａにおいて、リール帯の外縁近傍を照射する。
なお、左サイド発光部中段ＬＥＤ５１２ａにより発光された光は、仕切り板３３４ｂにより遮られ、リール帯３００Ｃの背後の領域であるバックライト部中段領域５０２に侵入することはない。また、左サイド発光部中段ＬＥＤ５１２ａにより発光された光は、遮蔽板３５５により遮られ、隣接する他のリールの内部に侵入することはない。
【００８３】
図１２は、左サイド発光部５１０及び右サイド発光部５２０による演出を説明する図である。
図１２では、リール３Ｌ，３Ｃ，３Ｒの左サイド発光部５１０（図８参照）及び右サイド発光部５２０（図８参照）の全てのＬＥＤを発光させたときの表示窓４Ｌ，４Ｃ，４Ｒにおける表示を示している。このとき、リール帯３００Ｌ，３００Ｃ，３００Ｒの上段、中段及び下段の外縁近傍がそれぞれ光る演出（図１２中の縦長の楕円形状のハッチング部分）が行われる。
【００８４】
本実施形態によれば、以下の効果を奏する。
本実施形態によれば、リール帯３００Ｃを背後から照射するバックライト部５００と、左サイド発光部５１０及び右サイド発光部５２０とを仕切り板３３４ａ〜仕切り板３３４ｆで遮蔽した。また、リールドラム３１０は、例えば、リール帯３００Ｃを保持する一対の第１円形フレーム３１１及び第２円形フレーム３１２を有し、例えば、左サイド発光部５１０は、仕切り板３３４ａ〜仕切り板３３４ｃにより第２円形フレーム３１２の側壁３１６を透過させて、第２円形フレーム３１２の端部の外部側に形成された、外部端部３１２ａに、光を照射する。
【００８５】
これにより、リール帯３００Ｃを背後から照射するバックライト部５００と、左サイド発光部５１０とを仕切り板３３４ａ〜仕切り板３３４ｃで遮蔽し、左サイド発光部５１０が発光した光を第２円形フレーム３１２の側壁３１６を透過させ第２円形フレーム３１２の外部端部３１２ａに照射したので、左サイド発光部５１０が発光した光は、リール帯３００Ｃ自体を照射することなく、リール帯３００Ｃの外縁近傍を照射できる。
よって、リール自体を見づらくすることなく、且つ遊技者が注視するリールにおいて高い装飾効果をもった演出を行うことができる遊技機を提供できる。
【００８６】
また、本実施形態によれば、例えば、左サイド発光部５１０により発光された光は、第２円形フレーム３１２の側壁３１６を透過して、第２円形フレーム３１２の外部側に回り、第２円形フレーム３１２の外部端部３１２ａを照射し、遊技者に向かって拡散する。
よって、第２円形フレーム３１２の端部から遊技者に向かって適切に左サイド発光部５１０の光が発光されるので、リール自体を見づらくすることなく、且つ遊技者が注視するリールにおいて高い装飾効果をもった演出を行うことができる遊技機を提供できる。
【００８７】
また、本実施形態によれば、左サイド発光部５１０、右サイド発光部５２０により光が照射される外部端部３１２ａと、リールドラム３１０の中央部と、を分ける段差を設けた。
これにより、外部端部を照射した光が、リールドラム３１０の中央部に回り込むのを防止できる。
よって、リール自体に左サイド発光部５１０、右サイド発光部５２０の光が回り込まないので、リール自体を見づらくすることなく、且つ遊技者が注視するリールにおいて高い装飾効果をもった演出を行うことができる遊技機を提供できる。
【００８８】
また、本実施形態によれば、一対の第１円形フレーム３１１、第２円形フレーム３１２の端部に、それぞれ互いの対向面に向けて突出したリール帯取付部３１３，３１４を形成し、これらのリール帯取付部３１３，３１４は、リール帯３００Ｃを複数の図柄が配された図柄領域３０１Ｃの外側に形成した非図柄領域３０２Ｃで保持する。
これにより、リール帯３００Ｃの図柄領域３０１Ｃが第１円形フレーム３１１、第２円形フレーム３１２のリール帯取付部３１３，３１４に遮られることなく、バックライト部５００により照射できる。
また、リール帯取付部３１３，３１４は、左サイド発光部５１０、右サイド発光部５２０により光が照射される外部端部３１２ａより、リールドラム３１０の回転軸側に形成した。
これにより、リール帯３００Ｃに左サイド発光部５１０、右サイド発光部５２０の光が回り込まないので、リール自体を見づらくすることなく、且つ遊技者が注視するリールにおいて高い装飾効果をもった演出を行うことができる遊技機を提供できる。
【００８９】
以上、実施形態について説明したが、本発明はこれに限られるものではない。また、本発明は本実施形態のようなパチスロ１の他、他の遊技機にも本発明を適用できる。
【符号の説明】
【００９０】
１  パチスロ
３００Ｃ  リール帯
３０１Ｃ  図柄領域
３０２Ｃ  非図柄領域
３１０  リールドラム
３１１  第１円形フレーム
３１２  第２円形フレーム
３１２ａ  外部端部
３１３，３１４  リール帯取付部
５００  バックライト部
５１０  左サイド発光部
５２０  右サイド発光部
３３２  バックライトケース
３３４ａ，３３４ｂ，３３４ｃ，３３４ｄ，３３４ｅ，３３４ｆ  仕切り板
Ｃ  回転軸側
【図１】
0005391292.tif 000002
【図２】
0005391292.tif 000003
【図３】
0005391292.tif 000004
【図４】
0005391292.tif 000005
【図５】
0005391292.tif 000006
【図６】
0005391292.tif 000007
【図７】
0005391292.tif 000008
【図８】
0005391292.tif 000009
【図９】
0005391292.tif 000010
【図１０】
0005391292.tif 000011
【図１１】
0005391292.tif 000012
【図１２】
0005391292.tif 000013